(57)【要約】【課題】内部空間を密閉した２室に区切り、２つの物品を隔離した状態で収納することができる物品収容袋を提供する。【解決手段】フィルムにより形成された上端開口の袋本体２と、袋本体２の内部を２室３ａ，３ｂに仕切る隔壁フィルム４と、袋本体の上端部内面に一側端から他側端まで延びるように配置されたファスナ装置５とを有し、隔壁フィルム４は上端がファスナ装置５より上方に延び、上端部をファスナ装置５に係合することで密封した２室を形成する。【選択図】  図１
2005263256.tif 000002
【特許請求の範囲】
【請求項１】
フィルムにより形成された上端開口の袋本体と、袋本体の内部を２室に仕切る隔壁フィルムと、袋本体の上端部内面に一側端から他側端まで延びるように配置されたファスナ装置とを有し、隔壁フィルムは、上端がファスナ装置より上方に延び、上端部をファスナ装置に係合することで密封した２室を形成することを特徴とする物品収容袋。
【請求項２】
ファスナ装置は、雄部を突設した雄型ファスナ片と雌部を突設した雌型ファスナ片とから形成され、雄型ファスナ片の雄部と雌型ファスナ片の雌部の係合面の間に隔壁フィルムを挟持する間隙を形成したことを特徴とする請求項１に記載の物品収容袋。
【請求項３】
雄型ファスナ片の雄部は、袋本体の開口端に近い側に切り欠き部を有することを特徴とする請求項２に記載の物品収容袋。
【請求項４】
隔壁フィルムとファスナ装置は、隔壁フィルムの厚さをＸμｍ、ファスナ装置の雄部と雌部の噛み合い部の最少間隔をＹμｍとした場合、Ｘ＝（０．１３〜１．３３）Ｙの関係式を満たすことを特徴とする請求項２または３に記載の物品収容袋。
【請求項５】
隔壁フィルムの厚さは８〜８０μｍであることを特徴とする請求項４に記載の物品収容袋。
【請求項６】
隔壁フィルムは引張弾性率（ＧＰａ）が０．１〜５．０のフィルムで作られていることを特徴とする請求項１に記載の物品収容袋。
【請求項７】
隔壁フィルムはポリエチレンフィルムまたはポリプロピレンフィルムで形成されていることを特徴とする請求項５または６に記載の物品収容袋。
【請求項８】
袋本体の上端部に把持開口を設けたことを特徴とする請求項１に記載の物品収容袋。
【請求項９】
袋本体は両面部と底部を有することを特徴とする請求項１に記載の物品収容袋。
【発明の詳細な説明】
【技術分野】
【０００１】
本発明は、内部空間を密閉した２室に区切り、各室に物品を隔離した状態で収納する物品収容袋に関する。
【背景の技術】
【０００２】
一般に用いられている水泳パンツ用手提げ袋は、フィルムにより形成された上端開口の袋本体と、袋本体の上端部内面に一側端から他側端まで延びるように配置されたファスナ装置とを有し、ファスナ装置を噛み合わせることで内部空間を密閉室とし、内部空間に収容された使用後の濡れた水着に含まれる水を外部に漏れ出さないようにしている。
【０００３】
また、伝票を収容する物品収納袋として、包装袋本体の内部を合成樹脂シートで２室に仕切り、袋本体の開口端内面にファスナ装置を配置した包装袋は、例えば、特許文献１に記載されている。
【０００４】
上記包装袋は、４方シールの包装袋本体と、包装袋本体の天シールの近くに配置されたファスナ装置と、包装袋本体の内部に上端がファスナ装置より下方に位置するように配置された合成樹脂シートから構成されている。
【特許文献１】特開平１１−２７８５０３号公報（段落００１１および段落００１２，図１参照）
【発明の開示】
【発明が解決しようとする課題】
【０００５】
上記手提げ袋は、袋本体の上端部内面に配置したファスナ装置により袋本体の内部空間を密閉した１室に形成するものである。そのため、隔離して収納する物品は１つに限られ、２つの物品を別々に収容する場合、２つの手提げ袋を用いることが必要である。
【０００６】
上記ファスナ装置付包装袋は、包装袋本体の内部を合成樹脂シートにより２室に区切るようにしているが、袋本体の内部に配置された合成樹脂シートは、上端がファスナ装置より下方に位置するので、仕切られた２室を密閉した２つの空間とするものではなく、２つの物品を隔離して収納することができない。
【０００７】
本発明は、上記した点を考慮してなされたもので、内部空間を密閉した２室に区切ることで、２つの物品を隔離して収納することができる物品収容袋を提供することを目的とする。
【課題を解決するための手段】
【０００８】
本発明の物品収容袋は、フィルムにより形成された上端開口の袋本体と、袋本体の内部を２室に仕切る隔壁フィルムと、袋本体の上端部内面に一側端から他側端まで延びるように配置されたファスナ装置とを有し、隔壁フィルムは、上端がファスナ装置より上方に延び、上端部をファスナ装置に係合することで２つの物品を隔離して密閉した２室に収納することができる。
【発明の効果】
【０００９】
本発明の物品収容袋は、水泳パンツを収容するために用いた場合、濡れた水泳パンツとタオルを独立した２つの密封室に別々に収容することで、タオルが使用した水泳パンツからでる水により濡れたり汚れたりすることがない。
【００１０】
本発明の物品収容袋は、きな粉とくず餅の食品を搬送するために用いた場合、きな粉とくず餅を２つの密封室に別々に収容することによりきな粉としての新鮮さを保持することができる。その他の食品では、粉末辛子と水があげられ、医薬品ではブドウ糖輸液とアミノ酸輸液を別々に収容することで変質や変色を防ぐことができる。
【発明を実施するための最良の形態】
【００１１】
以下本発明の実施の形態を図面を参照して説明する。
図１は本発明による物品収容袋を手提げ袋１に利用した実施の形態を示す平面図である。
【００１２】
本発明による手提げ袋１は、図１および図２に示すように、上端開口の袋本体２と、袋本体２の内部を２室３ａ，３ｂに仕切る隔壁フィルム４と、袋本体２の上端部内面に配置されたファスナ装置５とから構成される。
【００１３】
上記袋本体２は、２つの面部片２ａ，２ｂと、底部片２ｃの３つの部片から形成される自立タイプの袋であることが好ましいが、２つの面部片２ａ，２ｂにより形成された袋であってもよい。袋本体２を構成する面部片２ａ，２ｂと底部片２ｃは、たとえば、厚さ１５μｍの延伸ナイロンフィルムと厚さ１１０μｍの直鎖状低密度ポリエチレンフィルムをラミネートしたプラスチックフィルムで形成されることが好ましい。
【００１４】
上記袋本体２は、底部片２ｃを２つ折りし、２つ折りした底部片２ｃを折り込み端が上方に位置し端縁が両面部２ａ，２ｂの下端縁に整合するように両面部２ａ，２ｂの間に配置し、重ね合わせた両面部２ａ，２ｂの両側端、面部２ａと底部２ｃの一方の折り込み部の両側端および面部２ｂと底部２ｃの他方の折り込み部の両側端を通常のヒートシール手段によりヒートシール部７ａ，７ｂを形成するように接合することで作られる。
【００１５】
上記袋本体２は、さらに、平面底を形成するように、面部２ａと底部２ｃの一方の折り込み部および面部２ｂと底部２ｃの他方の折り込み部をヒートシール手段によりヒートシール部８を形成するように接合される。
【００１６】
上記隔壁フィルム４は、図１および図２に示すように、面部片２ａ，２ｂと同じ幅であるが、長さは面部片２ａ，２ｂより短く、上端が袋本体２の内面に配置されたファスナ装置５を越えて上方に延びる長さである。隔壁フィルム４は、袋本体２の面部２ａ，２ｂに側部で接合されるので面部２ａ，２ｂに対するシール性を備え、ファスナ装置５に噛み込まれても破損しない程度の厚さと強度が要求される。
【００１７】
上記ファスナ装置５は、図３に示すように、雄部９を突設した雄型ファスナ片１０と、雌部１１を突設した雌型ファスナ片１２とから形成される。雄型ファスナ片１０の雄部９は、図４に示すように、断面形状を略きのこの傘状とし、一側の傘部分に切り欠き部９ａを形成している。これにより、ファスナ装置５は、雄型ファスナ片１０の雄部９と雌型ファスナ片１２の雌部１１との係合面の間隙を他の部分より広くすることができる。
【００１８】
上記ファスナ装置５は、図３に示すように、雄部９の切り欠き部９ａが袋本体２の開口端側に位置するように袋本体２の内面に配置される。これにより、ファスナ装置５は、噛み込んだ隔壁フィルム４を簡単な力で係脱することができる。  上記隔壁フィルム４のファスナ装置５によるの噛み合い度の実験結果によれば、隔壁フィルム４に使用できるフィルムは、２軸延伸フィルムのような硬いフィルムである場合、フィルムの厚さが６０μｍ以上であると、ファスナ装置５の噛み合い不良が生じ、未延伸フィルムのような軟らかいフィルムである場合、フィルムの厚さ８０μｍ以上であると、ファスナ装置５の噛み合い不良が生じた。
【００１９】
また、上記隔壁フィルム４は、厚さが８μｍ以下であると、フィルムとしての剛性を確保することができないのと製膜も安定生産が難しくコストアップとなり、厚さが８μｍ以上でであることが望ましい。隔壁フィルム４に使用できるフィルムは、上記要件を考慮すると、厚さ３０μｍないし６０μｍのポリエチレンフィルムおよび厚さ２０μｍないし６０μｍの無延伸ポリプロピレンフィルムが選定されるが、必要に応じて袋本体２の内面とヒートシール性のあるラミネートフィルムとすることもできる。
【００２０】
さらに、隔壁フィルム４は、ＡＳＴＭのＤ８８２の測定方法による引張弾性率（ＧＰａ）によれば、０．１〜５．０のフィルムで作られることが望ましい。引張弾性率（ＧＰａ）が０．１のフィルムとしては、厚さ３０μｍのポリエチレンフィルムがあり、引張弾性率（ＧＰａ）が５．０のフィルムとしては、厚さ１２μｍの延伸ポリエステルフィルムがある。
【００２１】
隔壁フィルム４とファスナ装置５は、隔壁フィルム４の厚さをＸμｍ、ファスナ装置５の雄部９と雌部１１の噛み合い部の最少間隔をＹμｍとすると、Ｘ＝（０．１３〜１．３３）Ｙの関係式を満たすように設定される。
【００２２】
さらに、上記袋本体２を形成する面部２ａ，２ｂは、上端部に把持開口１３を有する。これにより、上記袋本体２の上端部に取手部が形成される。袋本体２の取手部は、面部２ａ，２ｂの上端部を伸ばすことで形成したり、面部２ａ，２ｂに別の取手を取り付けることで形成することもできる。
【００２３】
つぎに、本発明による手提げ袋１の製造手順を図５により説明する。
【００２４】
手提げ袋１に必要な構成部材である、面部片２ａ，２ｂ、底部片２ｃ、隔壁フィルム４、ファスナ装置５を用意する。
【００２５】
つぎに、図５（ａ）に示すように、面部片２ａ，２ｂを重ね合わせ、重ね合わせた面部片２ａ，２ｂの間に隔壁フィルム４を下端縁が面部片２ａ，２ｂの下端縁に整合するように配置し、さらに、２つ折りした底部片２ｃを折り込み端が上方に位置し端縁が面部片２ａ，２ｂと隔壁フィルム４の下端縁に整合するように面部片２ｂと隔壁フィルム４との間に配置する。
【００２６】
つぎに、図５（ｂ）に示すように、重ね合わせた面部片２ａ，２ｂの下側部分を間に位置する底部片２ｃと隔壁フィルム４とともに両側部を軽くヒートシール加工して第１段階のヒートシール部７ａ，７ｂを形成する。
【００２７】
つぎに、図５（ｃ）に示すように、重ね合わせた面部片２ａ，２ｂの上側部分を拡開し、隔壁フィルム４の上端部を露出するようにする。
【００２８】
つぎに、図５（ｄ）に示すように、拡開した面部片２ａ，２ｂの隔壁フィルム４の上端部より下側の部位の内面に、ファスナ装置５の雄型ファスナ片１０と雌型ファスナ片１２を面部片２ａ，２ｂの一側端から他側端まで延びるように配置し、雄型ファスナ片１０の雄部９と雌型ファスナ片１２の雌部１１を互いに係合する位置に調節する。
【００２９】
つぎに、図５（ｅ）に示すように、拡開した面部片２ａ，２ｂを閉じ、雄型ファスナ片１０と雌型ファスナ片１２を面部片２ａ，２ｂに接合し、続いて重ね合わせた面部片２ａ，２ｂを間に位置する底部片２ｃと隔壁フィルム４とともに両側部を上端から下端までヒートシール加工して第２段階のヒートシール部７ａ，７ｂを形成する。 このようにして形成された手提げ袋１を図４（ｆ）に示す。  本発明による手提げ袋１は、袋本体２の内部を２室３ａ，３ｂに仕切る隔壁フィルム４が袋本体２の上端部内面に設けたファスナ装置５より上方まで延びているので、隔壁フィルムの上端部をファスナ装置に噛み込むことで、袋本体２の２室３ａ，３ｂを互いに隔離した室とする。
【産業上の利用可能性】
【００３０】
本発明によれば、２つの物品を隔離して収納した状態で目的地に搬送することができる。
【図面の簡単な説明】
【００３１】
【図１】本発明による手提げ袋の平面図である。
【図２】本発明による手提げ袋の一部を切り欠いて示す斜視図である。
【図３】本発明による手提げ袋のファスナ装置と隔壁フィルムの噛み合い状態を示す図である。
【図４】ファスナ装置の雄型ファスナ片の断面図である。
【図５】本発明による手提げ袋の製造手順を示す図である。
【符号の説明】
【００３２】
１  手提げ袋
２  袋本体
２ａ，２ｂ  面部片
２ｃ  底部片
４  隔壁フィルム
５  ファスナ装置
９  雄部
９ａ  切り欠き部
１０  雄型ファスナ片
１２  雌型ファスナ片
【図１】
2005263256.tif 000003
【図２】
2005263256.tif 000004
【図３】
2005263256.tif 000005
【図４】
2005263256.tif 000006
【図５】
2005263256.tif 000007